(57)【特許請求の範囲】
【請求項１】
マスク本体に耳掛け紐を設けてなるマスクにおいて、前記マスク本体を左右等分に折り畳んだ状態でその折目である縦中央線と上縁とに斜めに溶着によって表裏生地の接合線を形成してなるマスク。
【請求項２】
マスク本体に折りひだを設けた請求項１記載のマスク。
【発明の詳細な説明】
【０００１】
【発明の属する技術分野】
この発明は、マスクの改良に関するものである。
【０００２】
【従来の技術】
食品工場や精密機械工場などで使用される衛生マスクは、その殆どが使い捨てであるため、メーカーとしては廉価に提供するために比較的簡単な構成からなる。例えば、不織布などのフィルター素材を四角形に打ち抜き、その左右に耳掛け紐を設けたことを基本構成とする。
【０００３】
【発明が解決しようとする課題】
しかし上記従来のマスクを着用すると、マスク上縁が鼻先で浮き上がり、その隙間から呼気が漏れて衛生性が保てなかったり、呼気によってメガネが曇ったりするといった不都合があった。逆に、防塵マスクであれば、前記隙間から外気が侵入し、人体に悪影響を及ぼすという不都合もあった。
【０００４】
このような不都合を解決するため、マスクを顔面の形状に合わせて立体的形状に成形したり、マスクの上縁に金属線等を埋め込んで、着用時に前記金属線等を鼻筋に合わせて変形させるという手段によって、マスクの特に上縁と鼻もとの密着性を高めたものも実際に提供されているが、これらのものは構成が複雑化する分、廉価に提供できないといった課題がある。特に、金属線等を埋め込んだものにあっては、廃棄する際に焼却処分したとしても金属線が残るという課題もある。また、マスクの上縁に切欠を設け、この切欠に鼻もとを合わせることによって、マスク上縁と鼻もとから頬にかけての密着性を高めたものもあったが、この従来マスクの場合、切欠はマスク生地の切除によって形成されるため、ゴミが発生するとった課題があった。
【０００５】
本発明は上述した課題を解決するためになされたもので、その目的は、簡易な構成でありながら密着性の高いマスクを提供することである。
【０００６】
【課題を解決するための手段】
上述した目的を達成するために本発明では、マスク本体に耳掛け紐を設けてなるマスクにおいて、前記マスク本体を左右等分に折り畳んだ状態でその折目である縦中央線と上縁とに斜めに溶着によって表裏生地の接合線を形成するという手段を用いた。この手段によれば、折目である縦中央線と上縁とに斜めに形成された表裏生地の接合線によってマスク本体の上縁中央が略Ｖ字状となるため、その形状は鼻もとと合致し、着用時において鼻もとから頬にかけての密着性が良好となる。また、接合線はマスク本体の中央に形成されるため、ここをツマミとして着用することで、位置合わせも簡単に行うことができる。
【０００８】
請求項２では、マスク本体に折りひだを設けるという手段を用いた。この手段によれば、マスク着用時に折りひだを伸ばすことによって鼻先の高さを吸収することができる。
【０００９】
【発明の実施の形態】
以下、本発明の好ましい実施の形態を添付した図面に従って説明する。図１は、本発明の一実施形態に係るマスクを左右等分に二つ折りした状態を示した正面図であり、１はマスク本体、２はマスク本体１の左右両端に設けた耳掛け紐である。マスク本体１は、不織布、帯電繊維など、用途に応じた材質から選択され、本実施形態の場合、四角形に型抜きしてなる。また、図中、点線で示した３は溶着部であり、本実施形態の場合、マスク本体１の上下折り返し１ａと左右両端に溶着部３を設けてほつれ止めとしている。さらに、本実施形態ではマスク本体１に３つの折りひだ（プリーツ）４を設けている。なお、折りひだ４の左右両端にも溶着部３を設けており、折りひだ４の左右両端が展開しないようにしている。
【００１０】
ここまでの構成は、食品工場などで使用される使い捨てマスクに見られるごく一般的なものであり、本発明を特徴付けるものではない。従って、溶着部３を縫合や接着に変えたり、折りひだ４を省略あるいは４つ以上設けたりするなど、種々の変更が可能である。
【００１１】
続いて、本発明の特徴点について説明する。本発明の特徴は、図中、符号５として示したように、二つ折りにしたマスク本体１における縦中央線（折目）側の上縁一角に表裏生地を接合して一体化したつの片を設けたことである。より詳しくは、本実施形態の場合、マスク本体１の縦中央線１ｂから上縁１ｃにかけて溶着により斜めの接合線を形成することによってつの片５を形成している。つまり、つの片５に相当する表裏生地全部を溶着してはいない。なお、この実施形態の場合、斜めに接合線を設けることによってつの片５を形成しているが、これはつの片５の最も簡便な構成を示した一例であって、縦中央線１ｂと上縁１ｃとつの片５で形成される三角形状角隅の全部を溶着してつの片としてもよい。
【００１２】
図２は、上記構成のマスクを展開した状態を示した正面図である。同図に示したように、本マスクを展開すると、上記つの片５によって丁度鼻に相当する部分が山形部６に盛り上がる。つまり、マスク本体１の上縁１ｃはつの片５によって、上縁全幅よりも幅が短くなる分、これが余りとなってマスク本体１の中間辺りで山形部６に盛り上がるのである。よって、本マスクを着用した場合、鼻は前記山形部６に収容されることになるため、マスク本体１の上縁１ｃがほとんど浮き上がることがない。
【００１３】
また、図３に示したように、本マスクを展開すると、マスク本体１の上縁１ｃは、つの片５を頂点として略Ｖ字状に展開される。このため特につの片５の近辺はマスク本体１の上縁１ｃを摘んだような状態となるため、着用時に鼻もと頬にかけて該上縁１ｃとの密着性がよい。
【００１４】
図４は、本マスクを着用したところを示した使用状態図である。本マスクを着用した場合、上述したように、マスク本体１の上縁１ｃと鼻もとから頬にかけての形状がほぼ一致し、上縁１ｃに過剰な浮き上がりが発生しない。また、マスク本体１の鼻先部分には山形部６が形成され、鼻先がこの山形部６に収容されることにより鼻先の高さが山形部６に吸収されるため、マスク本体１の上縁１ｃを直線状にするテンションがかからず、上述した鼻もとから頬にかけての密着性は維持されるのである。
【００１５】
さらに、本実施形態の場合、マスク本体１に複数の折りひだ４を設けているので、該折りひだ４の開き具合を調整することによって、山形部６の大きさ（高さ）を変えたり、顎までを覆うようにできるなど、鼻の高さや顎の長さに個人差が生じても、常にフィット感のよいマスクとすることができた。
【００１６】
さらに、マスク本体１の丁度上縁中心につの片５が位置するので、着用するときに該つの片５をもって鼻に押し当て、この状態で耳掛け紐２を装着すれば、正確な位置決めのもとマスクを着用することもできる。
【００１７】
なお、上記実施形態ではつの片５の形成方法として溶着を例示したが、これは縫合、接着などの手段によって形成であってもよい。例えばマスク本体の素材が不織布であれば溶着が、ガーゼなどの布帛であれば縫合が適当であり、何れの素材であっても接着は可能である。また、マスク本体１の打ち抜き形状は四角形に限らず、樽型など、他の形状に打ち抜いてもよい。
【００１８】
【発明の効果】
以上説明したように、本発明によれば、二つ折りにしたマスク本体の上縁一角につの片を設けるという手段を採用したため、製造も極めて簡単で、ゴミも発生せず、しかもマスク周囲と顔面との密着性を高めることができる。さらに、つの片はマスク本体上縁の中央に形成されるため、顔面の中心線と合わせるように着用することが可能である。
【図面の簡単な説明】
【図１】本発明の一実施形態に係るマスクの二つ折り状態を示した正面図
【図２】同マスクの展開状態を示した正面図
【図３】同マスクの展開状態を示した斜視図
【図４】同マスクの使用状態を示した斜視図
【符号の説明】
１  マスク本体
２  耳掛け紐
３  溶着部
４  折りひだ
５  つの片
６  山形部
【図１】
0003622958.tif 000002
【図２】
0003622958.tif 000003
【図３】
0003622958.tif 000004
【図４】
0003622958.tif 000005